(57)【要約】【課題】  使用者による圧力鍋蓋を持つ負担を軽減する圧力鍋を提供する。【解決手段】  圧力鍋は、圧力鍋本体１１と、圧力鍋本体１１の上部開口に取り付けられる圧力鍋蓋１３とを備える。圧力鍋本体１１には、可動腕１１ｃ２を介して、着脱可能な状態で圧力鍋蓋１３を保持する蓋保持部１１ｃが設けられる。蓋保持部１１ｃは、可動腕１１ｃ２と、圧力鍋蓋１３を掛止する掛止部１１ｃ３とを有する。可動腕１１ｃ２は、鉛直方向に平行な軸（第２軸ＬＸ２）周りに回転可能な状態で、蓋保持部１１ｃの固定腕１１ｃ１に保持される。掛止部１１ｃ３は、鉛直方向に移動可能な状態で、可動腕１１ｃ２に保持される。【選択図】図２６
2020141922.tif 000002
【特許請求の範囲】
【請求項１】
圧力鍋本体と、
前記圧力鍋本体の上部開口に取り付けられる圧力鍋蓋とを備え、
前記圧力鍋本体には、可動腕を介して、着脱可能な状態で前記圧力鍋蓋を保持する蓋保持部が設けられる圧力鍋。
【請求項２】
前記蓋保持部は、前記可動腕と、前記圧力鍋蓋を掛止する掛止部とを有し、
前記可動腕は、第１の方向に平行な軸周りに回転可能な状態で、前記圧力鍋本体若しくは前記蓋保持部の固定腕に保持され、
前記掛止部は、前記第１の方向に移動可能な状態で、前記可動腕に保持される、請求項１に記載の圧力鍋。
【請求項３】
前記第１の方向は、鉛直方向である、請求項２に記載の圧力鍋。
【請求項４】
前記掛止部は、フォーク形状若しくは、フック形状を有する、請求項２または請求項３に記載の圧力鍋。
【請求項５】
前記可動腕は、第１軸と前記第１軸とは別の第２軸の軸周りに回転可能な状態で、前記圧力鍋本体若しくは前記蓋保持部の固定腕に保持される、請求項１に記載の圧力鍋。
【請求項６】
前記第１軸は、水平方向に平行であり、
前記第２軸は、鉛直方向に平行である、請求項５に記載の圧力鍋。
【請求項７】
前記圧力鍋蓋は、前記圧力鍋蓋の内壁に取り付けられ、前記圧力鍋蓋とで空間を形成する受け皿部を含む減圧装置を有する、請求項１〜６のいずれかに記載の圧力鍋。
【請求項８】
前記受け皿部は、第１排気孔を有し、
前記圧力鍋蓋における、前記空間を形成する部分に第２排気孔が設けられ、
前記第１排気孔は、前記第２孔の孔径よりも小さく、且つ前記第２孔に設けられる排気管の孔径よりも小さい、請求項７に記載の圧力鍋。
【請求項９】
前記排気管の一方の端部は、前記第２孔に挿入され、
前記排気管の他方の端部には、三方以上に排気が可能な排出分散部が設けられる、請求項８に記載の圧力鍋。
【請求項１０】
前記圧力鍋蓋における、前記空間を形成する部分に注水孔と排水孔が設けられ、
前記注水孔を介して、冷却水が前記空間に供給され、
前記排水孔を介して、前記冷却水が前記空間から排出される、請求項７に記載の圧力鍋。
【請求項１１】
前記注水孔には、注水管が設けられ、
前記注水管には、前記冷却水を噴霧する噴霧ノズルが設けられる、請求項１０に記載の圧力鍋。
【発明の詳細な説明】
【技術分野】
【０００１】
本発明は、圧力鍋に関する。
【背景技術】
【０００２】
従来、特許文献１のように、圧力鍋が提案されている。
【先行技術文献】
【特許文献】
【０００３】
【特許文献１】特開２０１１−０５６１４２号公報
【発明の概要】
【発明が解決しようとする課題】
【０００４】
しかし、圧力鍋蓋を圧力鍋本体から取り外す際には、使用者が圧力鍋蓋を持ち上げる必要があった。
【０００５】
したがって本発明の目的は、使用者による圧力鍋蓋を持つ負担を軽減する圧力鍋を提供することである。
【課題を解決するための手段】
【０００６】
本発明に係る圧力鍋は、圧力鍋本体と、圧力鍋本体の上部開口に取り付けられる圧力鍋蓋とを備える。圧力鍋本体には、可動腕を介して、着脱可能な状態で圧力鍋蓋を保持する蓋保持部が設けられる。
【０００７】
蓋保持部が圧力鍋蓋を上方に持ち上げる。このため、使用者が圧力鍋蓋を上方に持ち上げる負担を軽減することが可能になる。また、内部の蒸気が当たりにくい位置で、使用者は蓋保持部を使って圧力鍋蓋を上方に持ち上げる操作を行うことが可能になる。
【０００８】
また、蓋保持部は、着脱可能な状態で圧力鍋蓋を保持する。このため、圧力鍋蓋を圧力鍋本体から離して洗浄などを行うことが出来る。
【０００９】
好ましくは、蓋保持部は、可動腕と、圧力鍋蓋を掛止する掛止部とを有する。可動腕は、第１の方向に平行な軸周りに回転可能な状態で、圧力鍋本体若しくは蓋保持部の固定腕に保持される。掛止部は、第１の方向に移動可能な状態で、可動腕に保持される。
【００１０】
さらに好ましくは、第１の方向は、鉛直方向である。
【００１１】
さらに好ましくは、掛止部は、フォーク形状若しくは、フック形状を有する。
【００１２】
また、好ましくは、可動腕は、第１軸と第１軸とは別の第２軸の軸周りに回転可能な状態で、圧力鍋本体若しくは蓋保持部の固定腕に保持される。
【００１３】
２つの軸周りに回転移動することにより、圧力鍋蓋を三次元空間内に移動させることが出来る。このため、圧力鍋本体と圧力鍋蓋とを上方から見てずれた重ならない位置関係で、蓋保持部が圧力鍋蓋を保持することが可能になる
【００１４】
さらに好ましくは、第１軸は、水平方向に平行である。第２軸は、鉛直方向に平行である。
【００１５】
また、好ましくは、圧力鍋蓋は、圧力鍋蓋の内壁に取り付けられ、圧力鍋蓋とで空間を形成する受け皿部を含む減圧装置を有する。
【００１６】
減圧装置を追加することにより重量が増す圧力鍋蓋を持ち上げる使用者の負担を軽減することが可能になる。
【００１７】
好ましくは、受け皿部は、第１排気孔を有する。圧力鍋蓋における、当該空間を形成する部分に第２排気孔が設けられる。第１排気孔は、第２孔の孔径よりも小さく、且つ第２孔に設けられる排気管の孔径よりも小さい。
【００１８】
蒸気が、孔径が小さい第１排気孔を通り、当該空間で、体積膨張によって、当該蒸気の温度が低下する。
これにより、通常の調圧バルブを用いて、内部の蒸気を排出させる形態に比べて、圧力鍋本体の温度を早期に下げやすく出来る。
また、当該空間を介して、蒸気が排出されることによるマフラー効果で、通常の調圧バルブを用いて、内部の蒸気を排出させる形態に比べて、蒸気の排出音を小さくすることが出来る。
【００１９】
さらに好ましくは、排気管の一方の端部は、第２孔に挿入される。排気管の他方の端部には、三方以上に排気が可能な排出分散部が設けられる。
【００２０】
排出分散部は、三方以上に排気が可能な構造を有するので、排出分散部を設けない形態に比べて、排気管の他方の端部（排出分散部がある方）が大きく動かずに排気を行うことが出来る。
【００２１】
また、好ましくは、圧力鍋蓋における、当該空間を形成する部分に注水孔と排水孔が設けられる。注水孔を介して、冷却水が当該空間に供給される。排水孔を介して、冷却水が当該空間から排出される。
【００２２】
冷却水が当該空間を通ることにより、当該空間が冷やされる。当該空間の温度低下に伴って、圧力鍋本体内部の当該空間以外の領域の温度が下がり、それによって、当該領域の圧力も徐々に下がる。
これにより、水冷の減圧装置を設けない形態に比べて、圧力鍋本体の温度を早期に下げやすく出来る。
また、排気による減圧と比べて、徐々に減圧が出来るので、スープが攪拌するのを抑制することが出来る。
【００２３】
さらに好ましくは、注水孔には、注水管が設けられる。注水管には、冷却水を噴霧する噴霧ノズルが設けられる。
【００２４】
特に霧状の冷却水が、当該空間の内部の気体（空気や水蒸気）と熱交換されることにより、高温の気体が冷却され、素早く（効率よく）圧力鍋本体の内部の温度を下げることが出来る。
【発明の効果】
【００２５】
以上のように本発明によれば、圧力鍋蓋を圧力鍋本体から外した状態で、スープの抽出が可能なスープ生成装置などを提供することができる。
【図面の簡単な説明】
【００２６】
【図１】本実施形態におけるスープ生成装置の各部材を示す断面構成図である。
【図２】スープ生成装置の断面構成図で、具材投入工程時のものである。
【図３】スープ生成装置の断面構成図で、調理工程時のものである。
【図４】スープ生成装置の断面構成図で、排出工程時のものである。
【図５】排出工程時のスープ生成装置の断面構成図で、図４のものよりも孔径が大きい内鍋やストレーナが用いられたものの断面構成図である。
【図６】排出工程時のスープ生成装置で、内鍋を含まないものの断面構成図である。
【図７】排出工程時のスープ生成装置で、ストレーナを含まないものの断面構成図である。
【図８】蓋保持部が設けられた圧力鍋本体と、圧力鍋蓋の断面構成図で、蓋保持部が圧力鍋蓋を掛止する前の状態を示すものである。
【図９】蓋保持部が設けられた圧力鍋本体と、圧力鍋蓋の断面構成図で、蓋保持部が圧力鍋蓋を掛止し、蓋保持部によって圧力鍋蓋が持ち上げられる前の状態を示すものである。
【図１０】蓋保持部が設けられた圧力鍋本体と、圧力鍋蓋の断面構成図で、蓋保持部によって圧力鍋蓋が上方に持ち上げられた状態を示すものである。
【図１１】蓋保持部が設けられた圧力鍋本体と、圧力鍋蓋の断面構成図で、図１０に示す状態よりも更に上方に圧力鍋蓋が持ち上げられた状態を示すものである。
【図１２】第１減圧装置を含むスープ生成装置の各部部材を示す断面構成図である。
【図１３】第１減圧装置を含むスープ生成装置の断面構成図で、調理工程時のものである。
【図１４】第１減圧装置を含むスープ生成装置の断面構成図で、減圧工程時のものである。
【図１５】第１減圧装置を含むスープ生成装置の断面構成図で、排出工程時のものである。
【図１６】第２減圧装置を含むスープ生成装置の各部材を示す断面構成図である。
【図１７】第２減圧装置を含むスープ生成装置の断面構成図で、減圧工程時のものである。
【図１８】第２減圧装置を含むスープ生成装置の断面構成図で、排出工程時のものである。
【図１９】２軸の回転移動が可能な蓋保持部が設けられた圧力鍋本体と、圧力鍋蓋の斜視図で、蓋保持部が圧力鍋蓋を掛止する前の状態を示すものである。
【図２０】２軸の回転移動が可能な蓋保持部が設けられた圧力鍋本体と、圧力鍋蓋の斜視図で、蓋保持部によって圧力鍋蓋が圧力鍋本体の上方に持ち上げられた状態を示すものである。
【図２１】２軸の回転移動が可能な蓋保持部が設けられた圧力鍋本体と、圧力鍋蓋の斜視図で、蓋保持部によって圧力鍋蓋が圧力鍋本体の斜め上方に持ち上げられた状態を示すものである。
【図２２】鉛直方向に回転移動が可能な可動腕と鉛直方向に移動可能な掛止部を含む蓋保持部が設けられた圧力鍋本体と、圧力鍋蓋の側面図で、蓋保持部が圧力鍋蓋を掛止する前の状態を示すものである。
【図２３】鉛直方向に回転移動が可能な可動腕と鉛直方向に移動可能な掛止部を含む蓋保持部が設けられた圧力鍋本体と、圧力鍋蓋の上面図で、蓋保持部が圧力鍋蓋を掛止する前の状態を示すものである。
【図２４】鉛直方向に回転可能な可動腕と鉛直方向に移動可能な掛止部を含む蓋保持部が設けられた圧力鍋本体と、圧力鍋蓋の側面図で、蓋保持部が圧力鍋蓋を掛止し、蓋保持部によって圧力鍋蓋が持ち上げられる前の状態を示すものである。
【図２５】鉛直方向に回転可能な可動腕と鉛直方向に移動可能な掛止部を含む蓋保持部が設けられた圧力鍋本体と、圧力鍋蓋の上面図で、蓋保持部が圧力鍋蓋を掛止し、蓋保持部によって圧力鍋蓋が持ち上げられる前の状態を示すものである。
【図２６】鉛直方向に回転可能な可動腕と鉛直方向に移動可能な掛止部を含む蓋保持部が設けられた圧力鍋本体と、圧力鍋蓋の側面図で、蓋保持部によって圧力鍋蓋が上方から見て圧力鍋本体と重ならない位置に移動せしめられた状態を示すものである。
【図２７】鉛直方向に回転可能な可動腕と鉛直方向に移動可能な掛止部を含む蓋保持部が設けられた圧力鍋本体と、圧力鍋蓋の上面図で、蓋保持部によって圧力鍋蓋が上方から見て圧力鍋本体と重ならない位置に移動せしめられた状態を示すものである。
【図２８】圧力鍋本体の排出口よりも低い位置に設けた抽出容器を含むスープ生成装置の断面構成図で、排出工程時のものである。
【図２９】ポンプと圧力鍋本体の排出口よりも低い位置に設けた抽出容器を含むスープ生成装置の断面構成図で、排出工程時のものである。
【発明を実施するための形態】
【００２７】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２８】
本実施形態におけるスープ生成装置１は、圧力鍋本体１１、パッキン１２、圧力鍋蓋１３、内鍋１５、ストレーナ１７、第１バルブ１９、スープ排出管２１、抽出容器２３、ポンプ２５を備える（図１参照）。
【００２９】
圧力鍋本体１１は、パッキン１２と圧力鍋蓋１３とで圧力鍋を構成する。
圧力鍋本体１１は、例えば、寸胴鍋など、上部から下部にかけて外径がほとんど変化しない鍋である。
調理時に圧力鍋本体１１は、加熱装置４０の五徳の上に載置される（図２〜図４参照）。
【００３０】
（圧力鍋本体１１）
圧力鍋本体１１の上部には、圧力鍋蓋１３を取り付けるための密閉機構が設けられ、パッキン１２が挟まれた状態で、圧力鍋蓋１３が圧力鍋本体１１に取り付けられる。
【００３１】
圧力鍋本体１１の下部には、圧力鍋本体１１の内部の液体を抽出するための排出口１１ａが設けられる。
排出口１１ａには、開口度合いを調整する第１バルブ１９が設けられる。
圧力鍋本体１１の底に貯まった液体などが淀みなく排出されるように、排出口１１ａは、圧力鍋本体１１の低い位置（側部の下端、若しくは底部）に設けられるのが望ましい。
【００３２】
圧力鍋本体１１の内壁の下部であって、排出口１１ａよりも上方には、ストレーナ１７を保持するための突起などの保持部１１ｂが設けられる。
【００３３】
（パッキン１２）
パッキン１２は、リング状の部材で、圧力鍋本体１１の上部と圧力鍋蓋１３の間の密閉のために使用される。
【００３４】
（圧力鍋蓋１３）
圧力鍋蓋１３は、圧力鍋本体１１の上部開口に着脱可能な状態で取り付けられる。
圧力鍋蓋１３には、圧力鍋本体１１の内部の蒸気を排出させる調圧バルブ（不図示）や安全弁（不図示）が設けられる。
【００３５】
（内鍋１５）
内鍋１５は、側面と底面の少なくとも一方に、内壁と外壁とを貫通する第１孔１５ａが設けられた容器である。
例えば、内鍋１５は、側面と底面に、複数の第１孔１５ａが設けられたメッシュ構造を有する。
【００３６】
調理時に、内鍋１５には、スープ生成用の具材が載置される。
内鍋１５は、圧力鍋本体１１の保持部１１ｂで保持されたストレーナ１７の上に載置される。
具材の一部やスープを構成する液体は、第１孔１５ａを介して、内鍋１５から圧力鍋本体１１と内鍋１５の間の空間に移動する。
第１孔１５ａを通り抜ける具材の大きさを調整するために、孔径が異なる複数種類の内鍋１５が用意されるのが望ましい。
【００３７】
（ストレーナ１７）
ストレーナ１７は、上下方向に垂直な面状の部材を含み、当該面状の部材には、上下方向に貫通する第２孔１７ａが設けられる。
調理時に、ストレーナ１７は、圧力鍋本体１１の保持部１１ｂに保持される。
具材の一部やスープを構成する液体は、第２孔１７ａを介して、ストレーナ１７よりも上方の空間から、ストレーナ１７よりも下方の空間に移動する。
第２孔１７ａを通り抜ける具材の大きさを調整するために、孔径が異なる複数種類のストレーナ１７が用意されるのが望ましい。
【００３８】
図５は、図４に示される内鍋１５の第１孔１５ａよりも孔径が大きい第１０孔１５０ａを有する別の内鍋１５０や、図４に示されるストレーナ１７の第２孔１７ａよりも孔径が大きい第２０孔１７０ａを有する別のストレーナ１７０が用いられ、図４に示される内鍋１５やストレーナ１７を用いる場合よりも、大きめの具材が抽出容器２３に移送された例を示す。
【００３９】
また、内鍋１５の第１孔１５ａと、ストレーナ１７の第２孔１７ａの孔径は、同じものに限られず、例えば、第１孔１５ａの孔径が、第２孔１７ａの孔径よりも小さくなるように、内鍋１５とストレーナ１７が構成される形態が考えられる。
この場合は、上方から視認しにくいストレーナ１７の第２孔１７ａでの目詰まりを発生しにくく出来る。
【００４０】
（第１バルブ１９）
第１バルブ１９は、排出口１１ａとスープ排出管２１の間に設けられ、排出口１１ａを介して、圧力鍋本体１１から排出される液体の量を調整するために使用される。
【００４１】
（スープ排出管２１）
スープ排出管２１は、一方の端部が第１バルブ１９を介して排出口１１ａに取り付けられ、他方の端部が抽出容器２３の容器蓋２３ａに取り付けられ、排出口１１ａと抽出容器２３とを連通させる。
スープ排出管２１は、圧力鍋本体１１から抽出容器２３へ液体を送り込むために使用される。
スープ排出管２１を介して抽出容器２３に送り込まれた液体が跳ね返って、ポンプ２５のパイプに吸い込まれないようにするため、スープ排出管２１の抽出容器２３側の先端は、抽出容器２３の底部近傍まで延ばされるのが望ましい。
【００４２】
（抽出容器２３）
抽出容器２３は、圧力鍋本体１１で生成されたスープを受ける容器であり、上部には抽出容器２３を密閉するための容器蓋２３ａが設けられる。
抽出容器２３は、圧力鍋本体１１の外部に設けられる。
容器蓋２３ａには、スープ排出管２１を通す第１パイプ取り付け孔２３ａ１とポンプ２５のパイプを通す第２パイプ取り付け孔２３ａ２が設けられる。
本実施形態では、第１パイプ取り付け孔２３ａ１と第２パイプ取り付け孔２３ａ２は、容器蓋２３ａに設けられる形態を説明するが、抽出容器２３の側面などに設けられる形態であってもよい。
【００４３】
（ポンプ２５）
ポンプ２５は、抽出容器２３と容器蓋２３ａで囲まれた空間から空気を吸い出しするために使用される。
【００４４】
本実施形態では、圧力鍋本体１１で生成されたスープは、圧力鍋蓋１３が圧力鍋本体１１から外された状態で、ポンプ２５による負圧で、スープ排出管２１を介して、抽出容器２３に移送される。
【００４５】
（スープ抽出方法）
次に、圧力鍋本体１１で生成されたスープを抽出容器２３に送り込む手順（スープ抽出方法）を説明する（図２〜図４参照）。
図２〜図４では、圧力鍋本体１１などに投入された具材を白丸で示し、圧力鍋本体１１などに投入された液体を×印で示す。
スープ抽出方法は、後述するように、具材投入工程と、調理工程と、減圧工程と、蓋外し工程と、排出工程を備える。
【００４６】
圧力鍋本体１１は、加熱装置４０の五徳の上に載置される。
圧力鍋本体１１の排出口１１ａには、第１バルブ１９を介してスープ排出管２１の一方の端部が取り付けられる。
圧力鍋本体１１の保持部１１ｂには、ストレーナ１７が取り付けられる。
ストレーナ１７の上には、内鍋１５が載置される。
容器蓋２３ａは、抽出容器２３に取り付けられる。
容器蓋２３ａの第１パイプ取り付け孔２３ａ１には、スープ排出管２１の他方の端部が取り付けられる。
容器蓋２３ａの第２パイプ取り付け孔２３ａ２には、ポンプ２５のパイプが取り付けられる。
これにより、抽出容器２３は、容器蓋２３ａと、スープ排出管２１と、ポンプ２５と抽出容器とを連通させるパイプとで密閉される。
【００４７】
第１バルブ１９を閉じた状態で、内鍋１５にスープの材料となる具材や水などの液体が投入される（具材投入工程、図２参照）。
内鍋１５の第１孔１５ａ、ストレーナ１７の第２孔１７ａを介して、内鍋１５に投入された液体の一部は、圧力鍋本体１１と内鍋１５の間や、圧力鍋本体１１とストレーナ１７の間に漏れ出る。
【００４８】
圧力鍋蓋１３が圧力鍋本体１１に取り付けられ、圧力鍋本体１１と圧力鍋蓋１３の間が密閉される。
加熱装置４０による加熱が開始され、調理が開始される（調理工程、図３参照）。
調理により、小さくなった具材の一部は、第１孔１５ａや第２孔１７ａを通って、圧力鍋本体１１と内鍋１５の間や、圧力鍋本体１１とストレーナ１７の間に漏れ出る。
【００４９】
調理完了後、加熱装置４０による加熱が停止され、圧力鍋本体１１を冷ますなどして、圧力鍋本体１１の圧力を低下させる（減圧工程）。
減圧工程は、自然放置による温度低下によって圧力が低下するのを待つ形態であってもよいし、圧力鍋蓋１３に設けられた調圧バルブ（不図示）を介した排気などによって圧力を低下させる形態であってもよい。
ただし、自然放置の場合は、圧力が低下するのに時間がかかる。
圧力鍋本体１１の圧力を早期に低下させて、調理完了後に蓋外し工程を早期に実行させるため、圧力鍋蓋１３に減圧装置１４（第１減圧装置１４ａ、第２減圧装置１４ｂ）が設けられるのが望ましい。
減圧装置１４の詳細については、後述する。
【００５０】
減圧工程で、圧力鍋本体１１の圧力が低下した後に、圧力鍋蓋１３が圧力鍋本体１１から外される（蓋外し工程）。
また、ポンプ２５を作動させ、第１バルブ１９を開けた状態で、ポンプ２５による抽出容器２３と容器蓋２３ａで囲まれた空間の空気の排出が行われる（排出工程、図４参照）。
抽出容器２３と容器蓋２３ａで囲まれた空間が負圧になることにより、圧力鍋本体１１の液体や具材の一部がスープ排出管２１を通って、抽出容器２３に流入する。
【００５１】
（発明の効果）
これにより、圧力鍋の圧力鍋蓋１３を圧力鍋本体１１から外した状態でも、圧力鍋本体１１で生成されたスープを外部の容器（抽出容器２３）に移送させることが可能になる。
ポンプ２５は、抽出容器２３と容器蓋２３ａで囲まれた空間の空気の排出に使用されるが、スープはポンプ２５を通らないため、ポンプ２５の内部がスープなどに汚される可能性は低い。
【００５２】
また、ポンプ２５による負圧で、スープを移送させるため、重力によりスープを移送させる形態に比べて、排出口１１ａの位置や、抽出容器２３の位置を自由に設定することが可能になる。ただし、排出口１１ａよりも低い位置に抽出容器２３を設けて、ポンプ２５を用いずに、重力によりスープを圧力鍋本体１１から抽出容器２３に移送させる形態であってもよい（図２８参照）。また、排出口１１ａよりも低い位置に抽出容器２３を設けて、さらにポンプ２５を用いて、負圧と重力によりスープを圧力鍋本体１１から抽出容器２３に移送させる形態であってもよい（図２９参照）
【００５３】
圧力鍋蓋１３が圧力鍋本体１１から外されているので、移送の際に、へらなどを使って、具材を内鍋１５などに押しつぶす裏ごし作業を行うことが出来る。
また、第１孔１５ａや第２孔１７ａにおける肉片などの具材の目詰まりを視認し当該目詰まりを除去することも出来る。
【００５４】
（応用例１、圧力鍋蓋１３を保持する蓋保持部１１ｃ）
圧力鍋蓋１３は、使用者が直接圧力鍋蓋１３の持ち手１３ａなどを把持することにより持ち上げられる形態であってもよいが、後述する応用例１に示すように、圧力鍋本体１１に取り付けられた蓋保持部１１ｃによって圧力鍋蓋１３が持ち上げられる形態であってもよい（図８〜図１１、図１９〜図２７参照）。
【００５５】
蓋保持部１１ｃは、固定腕１１ｃ１、可動腕１１ｃ２、掛止部１１ｃ３を有する。
固定腕１１ｃ１は、圧力鍋本体１１の側部に固定される。
固定腕１１ｃ１は、例えば、圧力鍋本体１１の側部から、側方に延び、更に側方の先端から上方に延びる略Ｌ字形状を有する。
可動腕１１ｃ２は、例えば、棒状の部材で、一方の端部が、固定腕１１ｃ１の上端に水平方向の一つに平行な第１軸ＬＸ１の軸周りに回転可能な状態で取り付けられ、他方の端部には、掛止部１１ｃ３が取り付けられる。
可動腕１１ｃ２は、他方の端部が圧力鍋蓋１３から離れる方向（上方）に付勢されている。
掛止部１１ｃ３は、フックなど、圧力鍋蓋１３の持ち手１３ａを着脱可能な状態で掛止する。
【００５６】
次に、蓋保持部１１ｃを使った圧力鍋蓋１３の保持の手順について説明する。
掛止部１１ｃ３が圧力鍋蓋１３の持ち手１３ａを掛止しない状態（図８参照）から、掛止部１１ｃ３が圧力鍋蓋１３の持ち手１３ａを掛止する（図９参照）。
圧力鍋蓋１３の圧力鍋本体１１への取り付けが解除されると、可動腕１１ｃ２の他方の端部は付勢力により、圧力鍋蓋１３を上方に持ち上げる（図１０参照）。
【００５７】
圧力鍋蓋１３は重いため、上方に持ち上げる際には、使用者の負担が生じていた。
また、圧力鍋蓋１３を持ち上げる際に、内部の高温の蒸気が圧力鍋蓋１３と圧力鍋本体１１の間から漏れ出るため、圧力鍋蓋１３を持ち上げる使用者に高温の蒸気が当たってしまうおそれがあった。
応用例１では、蓋保持部１１ｃが圧力鍋蓋１３を上方に持ち上げる。このため、使用者が圧力鍋蓋１３を上方に持ち上げる負担を軽減することが可能になる。また、内部の蒸気が当たりにくい位置で、使用者は蓋保持部１１ｃを使って圧力鍋蓋１３を上方に持ち上げる操作を行うことが可能になる。
【００５８】
また、蓋保持部１１ｃの掛止部１１ｃ３は、着脱可能な状態で圧力鍋蓋１３を掛止する。このため、圧力鍋蓋１３を圧力鍋本体１１から離して洗浄などを行うことが出来る。
【００５９】
また、可動腕１１ｃ２の他方の端部を更に上方に移動させることにより、圧力鍋蓋１３が更に上方に持ち上がる。これにより、圧力鍋蓋１３が斜めにした状態若しくは立てた状態にされる（図１１参照）。
【００６０】
可動腕１１ｃ２は、水平方向の１つの方向に平行な第１軸ＬＸ１の軸周りに回転移動するだけでなく、２つの軸周りに回転移動出来る形態であってもよい。
２つの軸周りに回転移動することにより、圧力鍋蓋１３を三次元空間内に移動させることが出来る。このため、圧力鍋本体１１と圧力鍋蓋１３とを上方から見て重ならない位置関係で、蓋保持部１１ｃが圧力鍋蓋１３を保持することが可能になる（図１９〜図２１参照）。
【００６１】
図１９〜図２１は、可動腕１１ｃ２が、第１軸ＬＸ１の軸周りの回転と、鉛直方向に平行な第２軸ＬＸ２の軸周りの回転が可能な状態で、固定腕１１ｃ１に保持される例を示す。
図１９は、蓋保持部１１ｃが圧力鍋蓋１３を保持する前の状態を示し、図２０は、蓋保持部１１ｃが圧力鍋蓋１３を上方に持ち上げた状態を示し、図２１は、蓋保持部１１ｃが圧力鍋蓋１３を上方から見て圧力鍋本体１１とずれた位置に移動させた状態を示す。
【００６２】
また、可動腕１１ｃ２が第１軸ＬＸ１の軸周りに回転する代わりに、掛止部１１ｃ３が鉛直方向に移動可能な状態で可動腕１１ｃ２に保持される形態であってもよい（図２２〜図２７参照）。
また、掛止部１１ｃ３は、フック形状を有する形態に限らず、他の形状を有する形態、例えば、フォーク形状を有する形態であってもよい。
また、掛止部１１ｃ３は、圧力鍋蓋１３の持ち手１３ａを、着脱可能な状態で掛止する形態だけでなく、圧力鍋蓋１３の上面から上方に突出する他の部材（上突出部１３ｂ）を、着脱可能な状態で掛止する形態であってもよい。
【００６３】
図２２〜図２７は、可動腕１１ｃ２が、第２軸ＬＸ２の軸周りに回転可能な状態で固定腕１１ｃ１に保持され、掛止部１１ｃ３が、鉛直方向に移動可能で、上方に付勢された状態で、可動腕１１ｃ２に保持され、掛止部１１ｃ３が、圧力鍋蓋１３の上突出部１３ｂを掛止する例を示す。
【００６４】
図２２と図２３は、蓋保持部１１ｃが圧力鍋蓋１３を保持する前の状態を示し、図２４と図２５は、蓋保持部１１ｃが圧力鍋蓋１３を掛止して上方に持ち上げる前の状態を示し、図２６と図２７は、蓋保持部１１ｃが圧力鍋蓋１３を上方から見て圧力鍋本体１１と重ならない位置に移動させた状態を示す。
【００６５】
また、蓋保持部１１ｃが圧力鍋蓋１３を保持する方法は、掛け止めに限るものではなく、挟み込みによる保持、吸着による保持など、他の方法であってもよい。
【００６６】
１つの軸周りに回転移動と、当該軸に平行な方向（第１の方向）の平行移動により、圧力鍋蓋１３を三次元空間内に移動させることが出来る。このため、圧力鍋本体１１と圧力鍋蓋１３とを上方から見て重ならない位置関係で、蓋保持部１１ｃが圧力鍋蓋１３を保持することが可能になる。
なお、本実施形態では、第１の方向が鉛直方向であるとして、説明したが、他の方向であってもよい。
【００６７】
なお、蓋保持部１１ｃは、固定腕１１ｃ１を設けずに、可動腕１１ｃ２の一方の端部が圧力鍋本体１１の側部に回転可能な状態で取り付けられる形態であってもよい。
【００６８】
（応用例２、内鍋１５とストレーナ１７）
本実施形態では、内鍋１５とストレーナ１７の両方が設けられる形態を説明したが、図６に示すようにストレーナ１７だけが設けられる形態、図７に示すように内鍋１５だけが設けられる形態であってもよい。内鍋１５だけが設けられる場合には、保持部１１ｂは、内鍋１５を保持する。
また、内鍋１５とストレーナ１７を設けずに、圧力鍋本体１１に直接具材が投入される形態であってもよい。
【００６９】
（応用例３、ストレーナ１７の二重構造）
また、内鍋１５を用いずに、ストレーナ１７だけを用い、ストレーナ１７が、網目が細かく薄くて軽い上部ストレーナ１７１と、網目が粗く厚くて重い下部ストレーナ１７２で構成される形態であってもよい（図１５参照）。
上部ストレーナ１７１は、下部ストレーナ１７２に近接した状態で、圧力鍋本体１１若しくは下部ストレーナ１７２に保持される。
この場合、下部ストレーナ１７２は、上部ストレーナ１７１の強度を保つために使用される。
上部ストレーナ１７１は、へらなどを使って具材を押しつぶす際に、上方から力が加えられ、変形するおそれがあった。応用例３では、上部ストレーナ１７１が、下部ストレーナ１７２の上に配置されている。このため、上方から力が加えられても、上部ストレーナ１７１が変形しにくい。
【００７０】
（応用例４、第１減圧装置１４ａ）
次に、圧力鍋蓋１３に設けられる第１減圧装置１４ａについて説明する（図１２〜図１５参照）。
第１減圧装置１４ａは、排気時の体積膨張で圧力鍋本体１１の内部の温度を下げる。
【００７１】
第１減圧装置１４ａは、第１受け皿部１４ａ１、第１Ｏリング１４ａ２、第１取り付け具１４ａ３、第１取り付け孔１４ａ４、第１排気孔１４ａ５、排気管１４ａ６、第２バルブ１４ａ７、第１排出分散部１４ａ８を有する。
【００７２】
第１受け皿部１４ａ１は、圧力鍋蓋１３の内壁に取り付けられる。
第１受け皿部１４ａ１は、圧力鍋蓋１３の内壁から下方にリング状に突出する下突出部１３ｃと、第１Ｏリング１４ａ２とで挟持され、且つ、ネジなどの第１取り付け具１４ａ３を使って、圧力鍋蓋１３の内壁に固定される。
第１取り付け具１４ａ３は、第１受け皿部１４ａ１に設けられた第１取り付け孔１４ａ４を通る。
第１受け皿部１４ａ１が圧力鍋蓋１３の内壁に取り付けられることにより、第１受け皿部１４ａ１と圧力鍋蓋１３とで、第１空間ｓｐ１が形成される。
第１空間ｓｐ１は、圧力鍋蓋１３と、下突出部１３ｃと、第１受け皿部１４ａ１と、第１Ｏリング１４ａ２と、排気管１４ａ６とで、密閉される。
【００７３】
第１受け皿部１４ａ１には、第１排気孔１４ａ５が設けられ、圧力鍋蓋１３における第１空間ｓｐ１を形成する部分には、第２排気孔１３ｄが設けられる。
従って、第１減圧装置１４ａを用いる応用例４では、第１減圧装置１４ａを用いない形態に比べて、圧力鍋蓋１３に下突出部１３ｃと第２排気孔１３ｄが必要になる。
ただし、応用例４では、第１減圧装置１４ａを使って、圧力鍋本体１１の内部の蒸気を排出することが出来るため、圧力鍋蓋１３には調圧バルブを設ける必要はない。
第１排気孔１４ａ５の孔径（複数ある場合は複数の孔の孔径の合計）は、第２排気孔１３ｄや排気管１４ａ６の孔径よりも小さい。
【００７４】
第２排気孔１３ｄには、排気管１４ａ６の一方の端部がある側が挿入される。
排気管１４ａ６の一方の端部が、第１受け皿部１４ａ１の底面の近傍に位置するように、排気管１４ａ６の一方の端部がある側が第１空間ｓｐ１内に配置される。
これにより、第１受け皿部１４ａ１に貯まった液体も効率よく排出出来る。
排気管１４ａ６には、第２バルブ１４ａ７が設けられる。
第２バルブ１４ａ７は、減圧工程で開状態にされ、それ以外の工程では閉状態にされる。
排気管１４ａ６の他方の端部には、三方に排気が可能な第１排出分散部１４ａ８が取り付けられる。
第１排出分散部１４ａ８は、略中空円柱形状で、上部は排気管１４ａ６と連通し、側部には等間隔に３つ以上の排出口が設けられ、下部は閉口する。
スープ排出管２１の他方の端部にも、排気管１４ａ６の第１排出分散部１４ａ８と同様の第２排出分散部２１ａが設けられるのが望ましい。
【００７５】
減圧工程が完了するまでは、排気管１４ａ６は、第１パイプ取り付け孔２３ａ１を介して、抽出容器２３に取り付けられ、第１排出分散部１４ａ８は、抽出容器２３に底部に配置される（図１３、図１４参照）。
また、減圧工程が完了するまでは、スープ排出管２１は、抽出容器２３から取り外される。
減圧工程が完了するまでは、ポンプ２５のパイプは、抽出容器２３に取り付けられなくてもよい。
【００７６】
減圧工程完了後の蓋外し工程以降は、排気管１４ａ６は、抽出容器２３から取り外される（図１５参照）。また、蓋外し工程以降は、排気管１４ａ６は、圧力鍋蓋１３から取り外されても良い。
また、蓋取り外し工程以降は、スープ排出管２１は、第１パイプ取り付け孔２３ａ１を介して、抽出容器２３に取り付けられる。
蓋外し工程以降は、ポンプ２５のパイプは、第２パイプ取り付け孔２３ａ２を介して、抽出容器２３に取り付けられる。
【００７７】
ただし、蓋外し工程の前後で、いずれか一方を取り外したり取り付けたりせずに、抽出容器２３に、排気管１４ａ６とスープ排出管２１の両方が取り付けられていてもよい。
【００７８】
調理工程では、第１バルブ１９及び第２バルブ１４ａ７が閉状態にされている（図１３参照）。
減圧工程の際に、第２バルブ１４ａ７が開状態にされる（図１４参照）。
圧力鍋本体１１の内部の蒸気や空気は、第１排気孔１４ａ５、及び排気管１４ａ６を通って、第１排出分散部１４ａ８から排出される。
【００７９】
第１排出分散部１４ａ８は、三方以上に排気が可能な構造を有する。このため、第１排出分散部１４ａ８を設けない形態に比べて、排気管１４ａ６の他方の端部（第１排出分散部１４ａ８がある方）が大きく動かずに排気を行うことが出来る。
【００８０】
蒸気が、孔径が小さい第１排気孔１４ａ５を通り、第１空間ｓｐ１で、体積膨張によって、当該蒸気の温度が低下し、第１空間ｓｐ１の周囲の温度が下がる。
これにより、通常の調圧バルブを用いて、内部の蒸気を排出させる形態に比べて、圧力鍋本体１１の温度を早期に下げやすく出来る。
また、第１空間ｓｐ１を介して、蒸気が排出されることによるマフラー効果で、通常の調圧バルブを用いて、内部の蒸気を排出させる形態に比べて、蒸気の排出音を小さくすることが出来る。
【００８１】
減圧工程の完了後、圧力鍋蓋１３が圧力鍋本体１１から外される（蓋外し工程）。
また、ポンプ２５を作動させ、第１バルブ１９を開けた状態で、ポンプ２５による抽出容器２３と容器蓋２３ａで囲まれた空間の空気の排出が行われる（排出工程、図１５参照）。
抽出容器２３と容器蓋２３ａで囲まれた空間が負圧になることにより、圧力鍋本体１１の液体や具材の一部がスープ排出管２１を通って、抽出容器２３に流入する。
【００８２】
（応用例５、第２減圧装置１４ｂ）
次に、圧力鍋蓋１３に設けられる第２減圧装置１４ｂについて説明する（図１６〜図１８参照）。
第２減圧装置１４ｂは、水冷により圧力鍋本体１１の内部の温度を下げる。
第２減圧装置１４ｂは、第２受け皿部１４ｂ１、第２Ｏリング１４ｂ２、第２取り付け具１４ｂ３、第２取り付け孔１４ｂ４、注水管１４ｂ５、冷却水供給装置１４ｂ６、排水管１４ｂ７を有する。
【００８３】
第２受け皿部１４ｂ１は、圧力鍋蓋１３の内壁に取り付けられる。
第２受け皿部１４ｂ１は、圧力鍋蓋１３の内壁から下方にリング状に突出する下突出部１３ｃと第２Ｏリング１４ｂ２とで挟持され、且つ、ネジなどの第２取り付け具１４ｂ３を使って、圧力鍋蓋１３の内壁に固定される。
第２取り付け具１４ｂ３は、第２受け皿部１４ｂ１に設けられた第２取り付け孔１４ｂ４を通る。
なお、第２Ｏリング１４ｂ２は、第１Ｏリング１４ａ２と同じ構造を有し、第２取り付け具１４ｂ３は、第１取り付け具１４ａ３と同じ構造を有し、第２取り付け孔１４ｂ４は、第１取り付け孔１４ａ４と同じ構造を有する。
第２受け皿部１４ｂ１が圧力鍋蓋１３の内壁に取り付けられることにより、第２受け皿部１４ｂ１と圧力鍋蓋１３とで、第２空間ｓｐ２が形成される。
第２空間ｓｐ２は、圧力鍋蓋１３と、下突出部１３ｃと、第２受け皿部１４ｂ１と、第２Ｏリング１４ｂ２と、注水管１４ｂ５と、排水管１４ｂ７とで、密閉される。
【００８４】
第２受け皿部１４ｂ１には、第１受け皿部１４ａ１の第１排気孔１４ａ５のような排気孔は設けられない。
また、圧力鍋蓋１３には、第１受け皿部１４ａ１を取り付ける場合に必要な第２排気孔１３ｄは設けられない。
圧力鍋蓋１３における第２空間ｓｐ２を形成する部分には、注水孔１３ｅと排水孔１３ｆが設けられる。
従って、第２減圧装置１４ｂを用いる応用例５では、第２減圧装置１４ｂを用いない形態と比べて、圧力鍋蓋１３に下突出部１３ｃと注水孔１３ｅと排水孔１３ｆが必要になる。
また、第２減圧装置１４ｂを用いない形態と同様で、圧力鍋蓋１３には、圧力鍋本体１１の内部の蒸気を排出させる調圧バルブ（不図示）や安全弁（不図示）が設けられるのが望ましい。
【００８５】
注水孔１３ｅには、注水管１４ｂ５の一方の端部がある側が挿入される。
注水管１４ｂ５の一方の端部には、注水管１４ｂ５を介して供給された冷却水を噴霧する噴霧ノズルが設けられる。
本実施形態では、噴霧ノズルが一流体スプレーノズルを用いたものを説明するが、インジェクターを用いたものや、二流体スプレーノズルを用いたものであってもよい。
噴霧ノズルの先端が上方向を向く位置関係で、注水管１４ｂ５の一方の端部がある側が第２空間ｓｐ２内に配置される。
注水管１４ｂ５の他方の端部には、逆流防止弁（不図示）を介して、冷却水供給装置１４ｂ６が取り付けられる。
逆流防止弁は、第２空間ｓｐ２から注水管１４ｂ５を介して内部の液体が流出しない（逆流しない）ように作動する構造を有する。
【００８６】
冷却水供給装置１４ｂ６は、第２空間ｓｐ２に冷却水を供給する装置である。
冷却水供給装置１４ｂ６は、冷却水を貯蔵し、ポンプで貯蔵した冷却水を排出する装置であってもよいし、水道水を排出する蛇口であってもよい。
【００８７】
排水孔１３ｆには、排水管１４ｂ７の一方の端部がある側が挿入される。
排水管１４ｂ７の一方の端部が、第２受け皿部１４ｂ１の底面の近傍に位置するように、排水管１４ｂ７の一方の端部がある側が第２空間ｓｐ２内に配置される。
これにより、第２受け皿部１４ｂ１に貯まった液体も効率よく排出出来る。
排水管１４ｂ７の他方の端部は、厨房や台所の流し台の排水口近くに配置される。
【００８８】
減圧工程の際に、冷却水供給装置１４ｂ６から、注水孔１３ｅや注水管１４ｂ５を介して、第２空間ｓｐ２に冷却水が供給され、冷却水は、噴霧ノズルから噴霧される（図１７参照）。
第２空間ｓｐ２に貯まった液体は、排水孔１３ｆや排水管１４ｂ７を介して、排出される。
【００８９】
また、調圧バルブを介した排気などで、急激に圧力低下をさせると、沸点が下がり、スープが攪拌されて、白濁する可能性がある。
冷却水が圧力鍋本体１１と圧力鍋蓋１３の間の第２空間ｓｐ２を通ることにより、第２空間ｓｐ２が冷やされる。第２空間ｓｐ２の温度低下に伴って、圧力鍋本体１１内部の第２空間ｓｐ２以外の領域の温度が下がり、それによって、当該領域の圧力も徐々に下がる。
これにより、第２減圧装置１４ｂを設けない形態に比べて、圧力鍋本体１１の温度を早期に下げやすく出来る。
また、排気による減圧と比べて、徐々に減圧が出来るので、スープが攪拌するのを抑制することが出来る。
また、圧力鍋蓋１３に水冷装置（第２減圧装置１４ｂ）が設けられるので、圧力鍋本体１１に水冷装置が設けられる形態に比べて、圧力鍋本体１１の構造を簡素化出来る。
【００９０】
特に霧状の冷却水が、第２空間ｓｐ２の内部の気体（空気や水蒸気）と熱交換されることにより、高温の気体が冷却され、素早く（効率よく）圧力鍋本体１１の内部の温度を下げることが出来る。すなわち、加熱停止してから圧力鍋蓋１３を開けることが出来るようになるまでの時間を短縮出来る。
【００９１】
減圧工程の完了後、圧力鍋蓋１３が圧力鍋本体１１から外される（蓋外し工程）。
また、ポンプ２５を作動させ、第１バルブ１９を開けた状態で、ポンプ２５による抽出容器２３と容器蓋２３ａで囲まれた空間の空気の排出が行われる（排出工程、図１８参照）。
抽出容器２３と容器蓋２３ａで囲まれた空間が負圧になることにより、圧力鍋本体１１の液体や具材の一部がスープ排出管２１を通って、抽出容器２３に流入する。
【００９２】
応用例４の第１減圧装置１４ａや、応用例５の第２減圧装置１４ｂを有する圧力鍋蓋１３は、応用例１の蓋保持部１１ｃに保持される形態であってもよい。
この場合には、減圧装置１４を追加することにより重量が増す圧力鍋蓋１３を持ち上げる使用者の負担を軽減することが可能になる。
【００９３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９４】
１  スープ生成装置
１１  圧力鍋本体
１１ａ  排出口
１１ｂ  保持部
１１ｃ  蓋保持部
１１ｃ１  固定腕
１１ｃ２  可動腕
１１ｃ３  掛止部
１２  パッキン
１３  圧力鍋蓋
１３ａ  持ち手
１３ｂ  上突出部
１３ｃ  下突出部
１３ｄ  第２排気孔
１３ｅ  注水孔
１３ｆ  排水孔
１４  減圧装置
１４ａ  第１減圧装置
１４ａ１  第１受け皿部
１４ａ２  第１Ｏリング
１４ａ３  第１取り付け具
１４ａ４  第１取り付け孔
１４ａ５  第１排気孔
１４ａ６  排気管
１４ａ７  第２バルブ
１４ａ８  第１排出分散部
１４ｂ  第２減圧装置
１４ｂ１  第２受け皿部
１４ｂ２  第２Ｏリング
１４ｂ３  第２取り付け具
１４ｂ４  第２取り付け孔
１４ｂ５  注水管
１４ｂ６  冷却水供給装置
１４ｂ７  排水管
１５  内鍋
１５ａ  第１孔
１５０  別の内鍋
１５０ａ  第１０孔
１７  ストレーナ
１７ａ  第２孔
１７０  別のストレーナ
１７０ａ  第２０孔
１７１  上部ストレーナ
１７２  下部ストレーナ
１９  第１バルブ
２１  スープ排出管
２１ａ  第２排出分散部
２３  抽出容器
２３ａ  容器蓋
２３ａ１  第１パイプ取り付け孔
２３ａ２  第２パイプ取り付け孔
２５  ポンプ
４０  加熱装置
ＬＸ１  第１軸
ＬＸ２  第２軸
ｓｐ１  第１空間
ｓｐ２  第２空間
【図１】
2020141922.tif 000003
【図２】
2020141922.tif 000004
【図３】
2020141922.tif 000005
【図４】
2020141922.tif 000006
【図５】
2020141922.tif 000007
【図６】
2020141922.tif 000008
【図７】
2020141922.tif 000009
【図８】
2020141922.tif 000010
【図９】
2020141922.tif 000011
【図１０】
2020141922.tif 000012
【図１１】
2020141922.tif 000013
【図１２】
2020141922.tif 000014
【図１３】
2020141922.tif 000015
【図１４】
2020141922.tif 000016
【図１５】
2020141922.tif 000017
【図１６】
2020141922.tif 000018
【図１７】
2020141922.tif 000019
【図１８】
2020141922.tif 000020
【図１９】
2020141922.tif 000021
【図２０】
2020141922.tif 000022
【図２１】
2020141922.tif 000023
【図２２】
2020141922.tif 000024
【図２３】
2020141922.tif 000025
【図２４】
2020141922.tif 000026
【図２５】
2020141922.tif 000027
【図２６】
2020141922.tif 000028
【図２７】
2020141922.tif 000029
【図２８】
2020141922.tif 000030
【図２９】
2020141922.tif 000031